(57)【要約】【課題】湯沸かし器本体内の容器への給水の不便を解消した電気湯沸かし器を提供することを目的とする。【解決手段】湯沸かし器本体１と、湯沸かし器本体１内に設けた貯水用の容器５と、容器５内に収容可能でかつ容器５へ貯水用の水を供給する給水容器４とを備えた電気湯沸かし器とすることにより、湯沸かし器本体１内の容器５への給水時には、備え付けの給水容器４を用いて水を供給することができ、給水の不便を解消することができる。【選択図】　図１
2004033506.tif 000002
【特許請求の範囲】
【請求項１】
湯沸かし器本体と、湯沸かし器本体内に設けた貯水用の容器と、容器内に収容可能でかつ容器へ貯水用の水を供給する給水容器とを備えた電気湯沸かし器。
【請求項２】
給水容器の容量を、容器の容量にほぼ等しく設定した請求項１に記載の電気湯沸かし器。
【請求項３】
給水容器は、その側部に取っ手を有する請求項１または２に記載の電気湯沸かし器。
【請求項４】
給水容器は、その底部を内方向に凸形状に膨らました請求項１〜３のいずれか１項に記載の電気湯沸かし器。
【請求項５】
給水容器は、その上端に注ぎ口を設けた請求項１〜４のいずれか１項に記載の電気湯沸かし器。
【請求項６】
湯沸かし器本体の包装容器への収容時に、給水容器を容器内に収容した請求項１に記載の電気湯沸かし器。
【請求項７】
容器内に収容された給水容器と給水容器の上または下に寸法調整包装部材を配した請求項６に記載の電気湯沸かし器。
【発明の詳細な説明】
【０００１】
【発明の属する技術分野】
本発明は主に一般家庭または事務所等で使用される電気湯沸かし器に関するものである。
【０００２】
【従来の技術】
従来、この種の電気湯沸かし器は、湯沸かし器本体内に収容された容器内に水を供給し、ヒータに通電することによって湯沸かし後、自動的に保温する。そして、必要なときはポンプによって容器内の湯を汲み出している。容器内の湯が少なくなれば、蓋を開けて水を追加供給する。
【０００３】
【発明が解決しようとする課題】
しかし、家庭においては、水道から水を汲み入れて容器内へ供給するための適当な給水容器のない場合が多く、ボールや鍋などで代用しているのが一般的である。まして事務所では、ボールなどの適当な給水容器がなく、はなはだ不便な場合がある。なお、湯沸かし器本体を水道蛇口の下に置いて給水することも考えられるが、制御基盤、電気部品等を誤って水で濡らし故障に至るおそれがある。
【０００４】
本発明は、前記従来の課題を解決するもので、湯沸かし器本体内の容器への給水の不便を解消した電気湯沸かし器を提供するものである。
【０００５】
【課題を解決するための手段】
前記目的を達成するために、本発明の電気湯沸かし器は、湯沸かし器本体内の容器内に収容可能でかつ容器へ貯水用の水を供給する給水容器を備えたものである。
【０００６】
これにより、湯沸かし器本体内の容器への給水時には、備え付けの給水容器を用いて水を供給することができ、給水の不便を解消することができる。
【０００７】
【発明の実施の形態】
請求項１に記載の発明は、湯沸かし器本体と、湯沸かし器本体内に設けた貯水用の容器と、容器内に収容可能でかつ容器へ貯水用の水を供給する給水容器とを備えた電気湯沸かし器とすることにより、湯沸かし器本体内の容器への給水時には、備え付けの給水容器を用いて水を供給することができ、給水の不便を解消することができる。
【０００８】
請求項２に記載の発明は、給水容器の容量を、容器の容量にほぼ等しく設定した請求項１に記載の電気湯沸かし器とすることにより、給水容器による一度の給水で容器を満杯にすることができる。
【０００９】
請求項３に記載の発明は、給水容器は、その側部に取っ手を有する請求項１または２に記載の電気湯沸かし器とすることにより、給水容器の取り扱いが便利である。
【００１０】
請求項４に記載の発明は、給水容器は、その底部を内方向に凸形状に膨らました請求項１〜３のいずれか１項に記載の電気湯沸かし器とすることにより、容器内に給水容器を収納したときに、容器内のヒータ取り付け箇所に給水容器が接触せず安定して収納することができる。
【００１１】
請求項５に記載の発明は、給水容器は、その上端に注ぎ口を設けた請求項１〜４のいずれか１項に記載の電気湯沸かし器とすることにより、給水容器からの給水時の使い勝手がよい。
【００１２】
請求項６に記載の発明は、湯沸かし器本体の包装容器への収容時に、給水容器を容器内に収容した請求項１に記載の電気湯沸かし器とすることにより、包装容器のサイズを大きくせずに電気湯沸かし器の包装ができる。
【００１３】
請求項７に記載の発明は、容器内に収容された給水容器と給水容器の上または下に寸法調整包装部材を配した請求項６に記載の電気湯沸かし器とすることにより、容器の高さが変更になっても容器内に給水容器を確実に保持することができる。
【００１４】
【実施例】
以下、本発明の実施例について、図面を参照しながら説明する。
【００１５】
（実施例１）
図は本発明の実施例１における電気湯沸かし器を示したものである。
【００１６】
図１に示すように、湯沸かし器本体１は、その上方に蓋２がヒンジ部３によって回動自在に取り付けられ、給水時は上方に開けられる。また、湯沸かし器本体１内には貯水用の容器５が設けられている。容器５へ貯水用の水を供給する給水容器４を別途備えており、これは、容器２内に収容可能なように容器５の内径より少し小さい外形をもち、容器５内に収容しても蓋２は閉じることができる大きさである。
【００１７】
容器５の満水位置５ａは、湯沸かし時に沸騰水が溢れ出ないように容器５の上端６より数センチ下方に位置している。このため、容器５の内寸より少し小さい給水容器４であるがその容量は、容器５の満水位置までの容量とほぼ等しく設定している。また、給水容器４は、取っ手７を側面の平面８外側に縦方向に設けてある。このため、給水容器４の外形はほぼ容器５の内径に沿っていて給水容器４の容量を最大にして取っ手７を設けることができる。
【００１８】
また、図２に示すように、給水容器４の底部はその内方向に凸部４ａに膨らましているので、給水容器４の収納時に、容器５の底部を内方に突出して設置したヒータ５ｂに接触することなく収納できるようになっている。
【００１９】
さらに、注ぎ口９は給水容器４の側面に設けた平面１０の上方に設けてある。このため給水容器４の外形は、ほぼ容器５の内径に沿っていて給水容器４の容量を最大にして注ぎ口９を設けることができる。
【００２０】
（実施例２）
次に、本発明の実施例２における電気湯沸かし器を図２に基づいて説明する。
【００２１】
図は湯沸かし器本体１の包装形態を示すもので、非使用時、あるいは輸送時に、段ボールなどからなる包装容器１１に湯沸かし器本体１を収容するとともに、給水容器４を容器５内に収容したものである。この包装形態により、包装容器１１のサイズを大きくせずに電気湯沸かし器を包装することができる。
【００２２】
一般的に、電気湯沸かし器は、湯沸かし器本体１の高さを変えて容器５の容量の大きいタイプを製造する。すなわち、容器５の内径は同じであるが容器５の高さの異なる数種類の製品が存在する。このとき、容器５内に収容された給水容器４と給水容器４の上または下に寸法調整包装部材１２を配した包装形態により容器５の高さが変更になっても容器５内に給水容器４を確実に保持できるようにしている。
【００２３】
【発明の効果】
以上のように、本発明の電気湯沸かし器によれば、容器内に収容可能でかつ容器へ貯水用の水を供給する給水容器を備えたもので、湯沸かし器本体内の容器への給水時には、備え付けの給水容器を用いて水を供給することができ、給水の不便を解消することができる。
【図面の簡単な説明】
【図１】本発明の実施例１における電気湯沸かし器の分解斜視図
【図２】本発明の実施例２における電気湯沸かし器の包装状態を示す縦断面図
【符号の説明】
１　湯沸かし器本体
２　蓋
４　給水容器
４ａ　凸部
５　容器
５ａ　満水位置
５ｂ　ヒータ
７　取っ手
９　注ぎ口
１１　包装容器
１２　寸法調整包装部材
【図１】
2004033506.tif 000003
【図２】
2004033506.tif 000004